(57)【要約】【課題】操作が簡単で利用者が手間、時間を要することなく電子情報を取得し得るシステムを提供する。【解決手段】サーバ装置１は、インターネット３上のウェブサイト２より、新聞記事等のドキュメント情報を取り込み、ドキュメント情報から文字情報を抽出し、この文字情報を社名、見出し、記事等の分類で分割し、多くのドキュメントの文字情報を高分類（社名）レベルのグループから低分類（記事内容）レベルのグループへの順で配列して設定利用者毎に記憶する。利用者は携帯情報端末器４Ａ  よりサーバ装置１に記憶している自己用の文字情報群を読み出し、読み出した文字情報群を高分類（社名）レベルから低分類（記事内容）に向けて順次音声で出力する。所望の分類レベルの音声出力中にキー操作すると、次の真下の分類レベルに移動して、その移動後の文字情報の音声出力を行う。【選択図】      図１
2004252538.tif 000002
【特許請求の範囲】
【請求項１】
ウェブサイトからドキュメント情報を取り込む情報取込手段と、取り込んだドキュメント情報から文字情報を抽出する文字情報抽出手段と、抽出した文字情報を分類レベルの異なる複数の文字情報に分割する手段と、分割された文字情報を同一分類レベル毎にグループ化して、高分類レベルのグループから低分類のグループへの順で配列して、記憶する文字情報記憶手段とを備えるサーバ装置と、
前記サーバ装置に通信手段を介してアクセスし、前記文字情報記憶手段に記憶されている文字情報を読み出すアクセス手段と、読み出した文字情報を高分類レベルのグループから低分類レベルのグループへの順で、音声で出力する手段と、指令入力により音声出力中の分類レベルの文字情報から直下の分類レベルのグループの文字情報の音声出力に切り替える指令入力手段とを備える携帯情報端末器とからなることを特徴とする電子情報取得システム。
【請求項２】
通信手段を介して、外部装置にアクセスする手段と、このアクセスに応答して、前記外部装置から送られて来る文字情報を同一分類レベル毎にグループ化して、高分類レベルのグループから低分類レベルのグループへの順で配列した文字情報群を受信する手段と、受信した文字情報群を記憶する記憶手段と、この記憶手段に記憶してある文字情報群を高分類レベルのグループから低分類レベルのグループへの順で読み出して音声出力する手段と、指令入力により音声出力中の分類レベルの文字情報から直下の分類レベルのグループの音声出力に切り替える指令入力手段とを備えたことを特徴とする携帯情報端末器。
【請求項３】
前記指令入力手段は、第１のキー入力手段であることを特徴とする請求項２記載の携帯情報端末器。
【請求項４】
前記第１のキー入力手段とは別に、第２のキー入力手段にを備え、この第２のキー入力手段が操作される毎に、同一分類レベルの次の文字情報の音声出力へ移行することを特徴とるす請求項３記載の携帯情報端末器。
【請求項５】
前記第１のキー入力手段、第２のキー入力手段に加えて、第３のキー入力手段を備え、この第３のキー入力手段が操作される毎に、同一分類レベルの前の文字情報の音声出力へ戻ることを特徴とする請求項４記載の携帯情報端末器。
【請求項６】
前記第１のキー入力手段、第２のキー入力手段、第３のキー入力手段に加えて、第４のキー入力手段を備え、この第４のキー入力手段が操作されると、音声出力中の分類レベルの文字情報から直上の分類レベルの文字情報の音声出力に切り替えることを特徴とする請求項４記載の携帯情報端末器。
【請求項７】
前記文字情報の音声出力は、同文字情報の表示とともに平行して行うことを特徴とする請求項２、請求項３、請求項４、請求項５又は請求項６記載の携帯情報端末器。
【請求項８】
ウェブサイトからサーバ装置にドキュメント情報を取り込む過程と、取り込んだドキュメント情報から文字情報を抽出し、抽出した文字情報を分類レベルの異なる複数の文字情報に分割する過程と、多くのドキュメント情報からそれぞれ分割された文字情報を同一分類レベル毎にグループ化して、高分類レベルのグループから低分類のグループへの順で配列して、記憶する過程と、前記サーバ装置に記憶されている文字情報群を通信手段を介して携帯情報端末器に読み出す過程と、読み出した文字情報を高分類レベルのグループから低分類レベルのグループへの順で、音声で出力する過程と、からなることを特徴とする電子情報取得方法。
【発明の詳細な説明】
【０００１】
【発明の属する技術分野】
この発明は、ウェブ上の新聞記事や、雑誌、本などの公開情報を入手する電子情報取得システム、携帯情報端末器及び電子情報取得方法に関する。
【０００２】
【従来の技術】
近年、各社の新聞や雑誌などでは、従前の紙での発行の他、記事や雑誌の内容をウェブサイト上で電子情報として公開し、利用者は自分のＰＣ（パソコン）より希望のサイトに配信を要求して取得するようにした技術が提案されている（例えば、特許文献１）。
【０００３】
【特許文献１】
特開２００２−６３２８７号公報
【０００４】
【発明が解決しようとする課題】
従来の電子情報取得システムで、利用者が所望の記事を取得しようとした場合、各新聞毎のサイトに、自分のＰＣよりアクセスをせねばならない。特に、利用者が視覚障害者の場合、記事情報を音声で出力するが、ＰＣの操作が大変である上に、音声で各記事情報の内容を１件１件出力して、確認しながらサーチしていたのでは、目的とする記事に到達するのに、手間、時間がかかるという問題があった。
【０００５】
この発明は上記問題点に着目してなされたものであって、操作が簡単で、手間、時間を要することなく、電子情報を取得し得る電子情報取得システムを提供することを目的としている。
【０００６】
【課題を解決するための手段】
この発明の電子情報取得システムは、ウェブサイトからドキュメント情報を取り込む情報取込手段と、取り込んだドキュメント情報から文字情報を抽出する文字情報抽出手段と、抽出した文字情報を分類レベルの異なる複数の文字情報に分割手段手段と、分割された文字情報を同一分類レベル毎にグループ化して、高分類レベルのグループから低分類のグループへの順で配列して、記憶する文字情報記憶手段とを備えるサーバ装置と、前記サーバ装置に通信手段を介してアクセスし、前記文字情報記憶手段に記憶されている文字情報を読み出すアクセス手段と、読み出した文字情報を高分類レベルのグループから低分類レベルのグループへの順で、音声で出力する手段と、指令入力により音声出力中の分類レベルの文字情報から直下の分類レベルのグループの文字情報の音声出力に切り替える指令入力手段とを備える携帯情報端末器とから構成されている。
【０００７】
この発明の携帯情報端末器は、通信手段を介して、外部装置にアクセスする手段と、このアクセスに応答して、前記外部装置から送られて来る文字情報を同一分類レベル毎にグループ化して、高分類レベルのグループから低分類レベルのグループへの順で配列した文字情報群を受信する手段と、受信した文字情報群を記憶する記憶手段と、この記憶手段に記憶してある文字情報群を高分類レベルのグループから低分類レベルのグループへの順で読み出して音声出力する手段と、指令入力により音声出力中の分類レベルの文字情報から直下の分類レベルのグループの音声出力に切り替える指令入力手段とを備えている。
【０００８】
また、この発明の電子情報取得方法は、ウェブサイトからサーバ装置にドキュメント情報を取り込む過程と、取り込んだドキュメント情報から文字情報を抽出し、抽出した文字情報を分類レベルの異なる複数の文字情報に分割する過程と、多くのドキュメント情報からそれぞれ分割された文字情報を同一分類レベル毎にグループ化して、高分類レベルのグループから低分類のグループへの順で配列して、記憶する過程と、前記サーバ装置に記憶されている文字情報群を通信手段を介して携帯情報端末器に読み出す過程と、読み出した文字情報を高分類レベルのグループから低分類レベルのグループへの順で、音声で出力する過程と、からなる。
【０００９】
この発明において、分類レベルとは、新聞記事情報に例えると、記事の発行元別（日経新聞、産経新聞等）、各発行元毎のカテゴリー（経済、社会、スポーツ等）、各カテゴリー毎の個別の記事であり、発行元別を高分類レベル、カテゴリーを中分類レベル、個別の記事を低分類レベルと称することができる。
【００１０】
電子情報が小説とすると、例えば、作者別、小説名、各章等を分類レベルとすることができる。
【００１１】
【発明の実施の形態】
以下、実施の形態により、この発明をさらに詳細に説明する。図１は、この発明の実施の形態に係る電子情報取得システムの機器構成を示すブロック図である。この実施形態電子情報取得システムでは、ホームサーバ１は、既存のウェブ上の新聞などの公開されるＨＰ情報源２から、各新聞社のホームページより、記事情報をインターネット３を介して取り込む。取り込む各新聞社、例えば「日経新聞」、「産経新聞」、「京都イベント」等の各記事情報は、種々の形式で記憶されているので、ホームサーバ１では、各新聞社毎に記事情報を取り込み、各社の形式に対応した変換処理を行い、記事毎にテキストデータ（文字情報）のみを抽出する。そして、記事情報を音声で読み上げたときに、聞きやすい構造体に変換し、その記事データを予め各社毎に記事配信が設定されてある各利用者毎のラジオサーバ１Ａ  、１Ｂ  、１Ｃ  、……、にダウンロードする。
【００１２】
各利用者の携帯情報端末器４Ａ  、４Ｂ  ……、は無線でインターネット３上のホームサーバ１に接続し、各々のラジオサーバ４Ａ  、４Ｂ  ……、から記事情報を読み出し、必要な記事情報を表示するとともに、音声で読み上げ出力する。
【００１３】
通常、各社の記事情報を配信したものを、ＰＣ等の端末で表示する場合は、図２に示すように、社名Ｌ１−１（例：日経新聞）、カテゴリーＬ２−１（例えば、経済）、第１の記事の見出しＬ１−１、本文１−１、更に第２の記事の見出し１−２、本文１−２、次に続いて別のカテゴリーＬ２−２（例えば、株・為替）、第３の記事の見出しＬ１−３、本文１−３、更に第４の記事の見出し１−４、本文１−４と表示する。そして、１社の記事の表示に続いて、次の他の社名Ｌ１−２（例：産経新聞）、カテゴリーＬ２−３（例えば、社会）、第１の記事の見出し２−１、本文２−１、第２の記事の見出し２−２、本文２−２、次に続いて、カテゴリーＬ２−４（例えば、経済）、第３の記事の見出し２−３、本文２−３、第４の記事の見出し２−４、本文２−４の順で表示する。
【００１４】
しかしながら、これらの記事情報を音声で読み上げる場合も、同じ順序でしたのでは、Ｌ１−１社の記事を読み上げ中は、直ちにはＬ１−２社の記事の内容が分かりにくい。そのため、この実施形態は、図２の記事の構造体を図３の構造体に変換して、音声出力し、聞きやすくしている。
【００１５】
図３では、先ず、高分類レベルの社名Ｌ１−１（例：日経新聞）、社名Ｌ１−２（例：産経新聞）を列挙し、次に、中分類レベルのカテゴリーＬ２−１（例：経済）、Ｌ２−２（例：株・為替）、Ｌ２−３（例：社会）、Ｌ２−４（例：経済）を列挙して、順次に読み上げる。続いて、Ｌ１−１社の第１の記事の見出しＬ１−１、本文１−１から、第４の記事の見出し１−４、本文１−４まで列挙し、更にＬ１−２社の第１の記事の見出し２−１、本２−１から、第４の記事の見出し２−４、本文２−４までを列挙し、順次に読み上げる。
【００１６】
読み上げは、キー操作により繰り返し、循環して行う。循環は、社名、各社毎のカテゴリー、各社各カテゴリー毎の記事で行う。カテゴリー、各社毎の記事は全体を通して循環させても良い。記事は、社別にこだわらず、全体を通して循環させても良い。
【００１７】
次に、ホームサーバ１における各記事情報の取り込み処理について、図４に示すフロー図を参照して説明する。予め定める所定の時刻が到来すると、先ず、ステップＳＴ１において、予め取り込み順が設定されている日経新聞のホームページから記事情報を取り込み、記事情報の構造体の変換処理を行う。図３の例では、例えばＬ１−１、Ｌ２−１、見出し１−１、本文１−１、見出し１−２、本文１−２、Ｌ２−２、見出し１−３、本文１−３、見出し１−４、本文１−４を得る。次に、ステップＳＴ２へ移行する。
【００１８】
ステップＳＴ２においては、産経新聞のホームページから記事情報を取り込み、記事情報の構造体の変換処理を行う。図３の例では、例えばＬ１−２、Ｌ２−３、見出し２−１、本文２−１、見出し２−２、本文２−２、Ｌ２−４、見出し２−３、本文２−３、見出し２−４、本文２−４を得る。続いて、ステップＳＴ３へ移行する。ステップＳＴ３においては、××××のホームページから記事情報を取り込み、記事情報の構造体の変換処理を行う。以下、同様にして、取り込み予定のホームページから、各記事情報を取り込み、それぞれ記事情報の構造体の変換処理を行う。
【００１９】
予定の各種ホームページの記事情報の取り込み及び変換処理が終了すると、ステップＳＴ４へ移行する。ステップＳＴ４においては、各利用者が設定してある発行元に基づいて、各利用者毎のダウンロードリスト（例えば、図３の配置の如く）を作成し、そのリストに従って、各記事情報を利用者の各ラジオサーバ１Ａ  、１Ｂ  、１Ｃ  、……、にダウンロードする。
【００２０】
なお、ステップＳＴ１〜ＳＴ３における変換処理は、情報発行（供給）元毎にデータ形式が異なるので、それらの形式に合わせて行う。その一例として、ステップＳＴ１の日経新聞の変換処理について、図１３のフロー図を参照して、説明する。
【００２１】
日経新聞ウェブサイトは、カテゴリー（分類）毎に、記事ページが存在するため、先ずは、それを元に変換処理を行う記事リストを作成する。そのため、先ず、ステップＳＴ１１において、日経新聞のＴＯＰページのＨＴＭＬを取得し、ステップＳＴ１２へ移行する。ステップＳＴ１２においては、カテゴリー取得ループを開始する。続いて、ステップＳＴ１３へ移行する。ステップＳＴ１３においては、〈  −カテゴリー名−−〉をサーチする。カテゴリーを取得すると、ステップＳＴ１４へ移行する。カテゴリー毎の記事ページとして、例えば経済記事一覧ｈｔｔｐ：／ｗｗｗ．ｎｉｋｋｅｉ．ｃｏ．ｊｐ／ｎｅｗｓ／ｋｅｚａｉ／、株・為替記事一覧ｈｔｔｐ：／ｗｗｗ．ｎｉｋｋｅｉ．ｃｏ．ｊｐ／ｎｅｗｓ／ｍａｒｋｅｔ／がある。ステップＳＴ１４においては、記事取得ループを開始する。そして、ステップＳＴ１５へ移行する。
【００２２】
記事一覧のソースコード中に、〈  −ｈｅａｄｌｉｎｅ−−〉で挟まれる文字列があり、これが記事のファイル名とタイトル分を表しているので、ステップＳＴ１５においては、〈  −ｈｅａｄｌｉｎｅ−−〉をサーチする。〈  −ｈｅａｄｌｉｎｅ−−〉を抽出すると、ステップＳＴ１６へ移行する。ステップＳＴ１６においては、個別の記事ＵＲＬを取得する。続いて、ステップＳＴ１７へ移行する。このステップＳＴ１７から、ステップＳＴ２２までは、記事の取得処理を示している。
【００２３】
ステップＳＴ１７においては、その記事の記事ＨＴＭＬを取得する。次に、ステップＳＴ１８へ移行する。ステップＳＴ１８においては〈  −ＦＪＺＯＮＥ  ＳＴＡＲＴ  ＮＡＭＥ＝“ＭＩＤＡＳＨＩ”−−〉をサーチする。そして、ステップＳＴ１９において、見出し文を取得する。続いて、ステップＳＴ２０へ移行する。ステップＳＴ２０においては、〈  −ＦＪＺＯＮ  ＳＴＡＲＴ  ＮＡＭＥ＝“ＨＯＮＢＵＮ”−−〉をサーチする。この文字列をサーチすると、ステップＳＴ２１において、本文を取得する。次に、ステップＳＴ２２へ移行する。ステップＳＴ２２においては、その他のＨＴＭＬを除去し、見出しと本文のみの記事を得る。カテゴリー内に他の記事がある場合には、ステップＳＴ１４に戻り、ステップＳＴ１４〜ＳＴ２２の処理を繰り返す。同カテゴリー内に他の記事がない場合は、ステップＳＴ２３へ移行し、記事取得ループを終了する。次に、ステップＳＴ２４へ移行する。
【００２４】
ステップＳＴ２４においては、見出しと本文のＨＴＭＬを文字コードに変換する。次に、ステップＳＴ２５へ移行して、文字コードに変換された記事をファイル保存する。そして、ステップＳＴ２６において、カテゴリー取得ループを終了する。
【００２５】
他の産経新聞、その他の各社のウェブ情報を、それぞれの各ウェブサイトに合わせた変換モジュールを作成し、変換処理を行う。
【００２６】
次に、携帯情報端末器４より、新聞等情報を出力する場合について説明する。
携帯情報端末器４は、図６に示すように、進むキー５と、戻るキー６と、十字キー７と、表示部８とを備えている。進むキー５は、その項目の出力を決定し、その項目の具体的内容を出力する場合に操作する。戻るキー６は、具体的内容の出力から項目に戻る場合に操作する。十字キー７の上キー７ａは、前の項目に戻る場合に操作する。十字キー７の下キー７ｂは、次の項目に移る場合に操作する。
【００２７】
この携帯情報端末器４は、図７に示すように、回路構成として、インターネット３に接続するための無線送受信部１１と、端末器４の動作全体を制御するＣＰＵ１２と、操作部１３と、送信されて来る記事情報等を記憶する記憶部１４と、記事情報を表示するための表示部１５（図６の８に対応）と、記事情報を読み上げ出力するための音声出力部１６と、電池などの電源を有する電源部１７とを備えている。
【００２８】
次に、この携帯情報端末器４における具体的な出力例と操作例を説明する。携帯情報端末４をインターネット２に無線により接続し、ホームサーバ３の自分のラジオサーバより、新聞等情報を取り込む。最初は携帯情報端末器４の表示部８に最上位の情報でチャンネル項目が表示されるとともに、そのチャンネル項目が音声で出力される。例えば、図８に示すように「日経新聞」の項目文字が表示されるとともに「日経新聞」が音声で出力される。何のキー操作もなされないと、「日経新聞」の表示を継続するとともに、その音声出力を繰り返す。
【００２９】
十字キー７の下キー７ｂを押すと、次の項目に移り、表示部８（１５）に「産経新聞」が表示されるとともに、音声で「産経新聞」が表示される。更に、この状態で続いて下キー７ｂを押すと、更に次の項目に移り、表示部８に「京都観光イベント」が表示されるとともに、音声で「京都観光イベント」が出力される。
以上のように、下キー７ｂを継続して押すと、応じて最上位レベルの情報項目が順次次へと移行し、表示と音声で出力される。予定の情報項目の出力が終了すると、次の下キー７ｂの操作で、最初の「日経新聞」に戻る。
【００３０】
「産経新聞」の項目の出力中に、十字キー７の上キー７ａを押下すると、１つ前の項目に戻り、表示部８に「日経新聞」が表示されると、ともに、音声で「日経新聞」が出力される。ここで、同様に上キー７ａを継続して押すと、応じて最上位レベルの情報項目が順次に１つずつ戻り、それぞれの項目を表示と音声で出力する。
【００３１】
項目「日経新聞」の出力時に、決定、進むキー５が押下されると、２．１カテゴリー選択へ移る。２．１カテゴリー選択は、日経新聞の記事でのカテゴリー別の選択を行う。同様に項目「産経新聞」の出力時に、決定、進むキー５が押下されると、２．２カテゴリー選択へ移る。また、項目「京都観光イベント」の出力時に、決定、進むキー５が押下されると、２．３カテゴリー選択へ移行する。
【００３２】
２．１カテゴリー選択へ移ると、図９に示すように、表示部８に中位の情報であるカテゴリーの１つとして「経済」が表示されるとともに、そのカテゴリー「経済」が音声で出力される。何のキーも操作されないと「経済」の表示を継続するとともに、その音声出力を繰り返す。
【００３３】
ここで、十字キー７の下キー７ｂが押されると、次のカテゴリーに移り、表示部８に「株・為替」が表示されるとともに、音声で「株・為替」が出力される。
更に、この状態で下キー７ｂが押されると、更に次のカテゴリーに移り、表示部８に「国際」が表示されるとともに、音声で「国際」が出力される。その後も、以上のように、下キー７ｂを継続して押すと、中位レベルの情報であるカテゴリーが順次に、次へと移行し、表示と音声で出力される。予定のカテゴリーの出力が終了すると、次の下キー７ｂの操作で、最初のカテゴリである「経済」に戻る。逆に十字キー７の上キー７ａを押すと、１回の操作毎にカテゴリーが前に、つまり図の上方に戻る。
【００３４】
カテゴリー出力中のどこかで、例えば「経済」の出力時に、決定、進むキー５が押下されると、更に下位の３．１記事選択へ移る。この３．１記事選択は後述する。
【００３５】
２．２カテゴリー選択へ移ると、図１０に示すように、表示部８にカテゴリー「社会」を表示するとともに、そのカテゴリー「社会」が音声で出力される。その後のキー操作と表示と音声出力の変化は、図９に示す場合と同様に考えて良いので、説明を省略する。また、２．３カテゴリー選択へ移ると、図１１に示すように、表示部８にカテゴリー「京の初詣」を表示するとともに「京の初詣」が音声で出力される。その後のキー操作と表示、音声出力の変化は、この場合も図９に示す場合と同様に考えて良いので、説明を省略する。
【００３６】
３−１記事選択（日経）に移ると、図１２に示すように表示部８に、下位の情報の１つである記事内容が表示されるとともに、その記事内容が音声で出力される。ここでは、選択の経過として日経新聞の経済に関する記事が出力される。ここでも、十字キー７ｂが押下される毎に、記事内容が次に移り、表示出力と音声出力が行われる。また、上キー７ａが押下されると、押下の度に記事内容が１つずつ戻る。すなわち、図の上方に向けて移動する。記事出力中に、決定、進むキー５を操作すると、表示出力、音声出力の移動が一時停止する。再度、決定、進むキー５を操作すると、表示出力、音声出力の移動が再開される。
【００３７】
３．２記事選択（産経）に移ると、図１３に示すように表示部８に、下位の情報である記事内容が表示されるとともに、その記事内容が音声で出力される。ここでは、選択の経過として産経新聞の「社会」に関する記事が出力される。記事内容は、図７の場合と異なるが、下キー７ｂあるいは上キー７ａを操作して、記事を順次、選択して、表示と音声で出力する。
【００３８】
また、３．３記事選択（イベント）に移ると、図１４に示すよう、下位の情報である記事内容が表示されるとともに、その記事内容が音声で出力される。ここでは、選択の経過として京都観光イベントの「京の初詣」に関する記事が出力される。記事内容は、やはり図７の場合と異なるが、下キー７ｂあるいは上キー７ａを操作して、記事を順次、選択して、各記事の内容を表示と音声で出力する。
【００３９】
【発明の効果】
この発明によれば、各ウェブサイトからのドキュメントをサーバ装置に取り込み、各ドキュメントから文字情報のみを抽出し、しかも一連の多くの文字情報を同一分類レベル毎にグループ化して、高分類レベルのグループから低分類レベルのグループの順で配列して記憶してあるので、携帯情報端末器は、サーバ装置に接続するだけで高分類レベルのグループから低分類レベルのグループまでの情報を順に受信して、音声で出力し、指令入力手段による指令により、直下の分類レベルのグループの文字情報の音声出力へ切り替えを行うことができ、簡単な操作で、かつ短時間で、所望の記事内容を音声で取得することができる。
【図面の簡単な説明】
【図１】この発明の一実施形態である電子情報取得システムの機器構成を示す図である。
【図２】記事情報の一般的な表示形式を説明する図である。
【図３】この実施形態電子情報取得システムで採用する文字情報の記憶及び出力形式を説明する図である。
【図４】この実施形態電子情報取得システムのサーバ装置のドキュメント取り込み処理を説明するフロー図である。
【図５】同フロー図における各発行元毎の変換処理の一社の変換処理例を説明するフロー図である。
【図６】同実施形態電子情報取得システムの携帯情報端子器の外観を示す平面図である。
【図７】同携帯情報端末器の回路構成を示すブロック図である。
【図８】上記携帯情報端末器において、最初の文字情報である発行元名の出力を説明するフロー図である。
【図９】図８のフロー図において、第１の発行元名を選択した場合の次位の文字情報であるカテゴリーの出力を説明するフロー図である。
【図１０】図８のフロー図において、第２の発行元名を選択した場合の次位の文字情報であるカテゴリーの出力を説明するフロー図である。
【図１１】図８のフロー図において、第３の発行元名を選択した場合の次位の文字情報であるカテゴリーの出力を説明するフロー図である。
【図１２】図９のフロー図において、第１のカテゴリーを選択した場合の次位の文字情報である各記事の出力を説明するフロー図である。
【図１３】図１０のフロー図において、第１のカテゴリーを選択した場合の次位の文字情報である各記事の出力を説明するフロー図である。
【図１４】図１１のフロー図において、第１のカテゴリーを選択した場合の次位の文字情報である各記事の出力を説明するフロー図である。
【符号の説明】
１                サーバ装置
２                ウェブサイト
３                インターネット
４（４Ａ  、４Ｂ  ）  携帯情報端末器
５                決定・進むキー
６                戻るキー
７ａ              上キー
７ｂ              下キー
【図１】
2004252538.tif 000003
【図２】
2004252538.tif 000004
【図３】
2004252538.tif 000005
【図４】
2004252538.tif 000006
【図５】
2004252538.tif 000007
【図６】
2004252538.tif 000008
【図７】
2004252538.tif 000009
【図８】
2004252538.tif 000010
【図９】
2004252538.tif 000011
【図１０】
2004252538.tif 000012
【図１１】
2004252538.tif 000013
【図１２】
2004252538.tif 000014
【図１３】
2004252538.tif 000015
【図１４】
2004252538.tif 000016